(57)【特許請求の範囲】
【請求項１】
区画壁の区画により形成された少なくとも冷凍室、野菜室及び冷暗保管室を有する冷蔵庫本体と、
前記冷暗保管室内に上下に配置された第１及び第２の収納容器と、
前記野菜室及び冷暗保管室の間の区画壁に設けられ、前記野菜室からの戻り冷気を前記第１の収納容器に導入するための第１の冷気導入口と、
前記第１の冷気導入口を開閉する第１の開閉手段と、
前記冷暗保管室の背面に設けられ、冷却器からの冷気を前記第２の収納容器に導入するための第２の冷気導入口と、
前記第２の冷気導入口を開閉する第２の開閉手段と、
前記冷暗保管室の背面に前記第２の冷気導入口の下方に設けられ、前記冷暗保管室内の冷気を流出させるための流出口と、
前記第１及び第２の収納容器から流れてくる冷気による前記冷暗保管室内の温度を検出する温度検出手段と、
前記温度検出手段の検出温度が予め設定された冷暗所相当の温度になるように前記第１及び第２の開閉手段を制御する制御手段と
を備えたことを特徴とする冷蔵庫。
【請求項２】
前記第１の収納容器は、上部に前記第１の冷気導入口からの冷気が流入する開口部を有し、さらに、前面に当該冷気を流出させる複数のスリットを有し、
前記第２の収納容器は、前記第１の収納容器の下方に配置され、上部に前記第２の冷気導入口からの冷気が流入する開口部を有し、さらに、前面に当該冷気を流出させる複数のスリットを有することを特徴とする請求項１記載の冷蔵庫。
【請求項３】
前記第２の冷気導入口の上部及び下部あるいは上部から前記第２の収納容器の開口部近傍まで延びてなり、前記第２の冷気導入口からの冷気を前記第２の収納容器内に案内する第１の冷気案内部を設けたことを特徴とする請求項１又は２記載の冷蔵庫。
【請求項４】
区画壁の区画により形成された少なくとも冷凍室、野菜室及び冷暗保管室を有する冷蔵庫本体と、
前記冷暗保管室内に上下に配置された第１及び第２の収納容器と、
前記野菜室及び冷暗保管室の間の区画壁に設けられ、前記野菜室からの戻り冷気を前記冷暗保管室に導入するための第１の冷気導入口と、
前記第１の冷気導入口を開閉する第１の開閉手段と、
前記冷暗保管室の背面に設けられ、冷却器からの冷気を前記冷暗保管室に導入するための第２の冷気導入口と、
前記第２の冷気導入口を開閉する第２の開閉手段と、
前記冷暗保管室の背面に前記第２の冷気導入口の下方に設けられ、前記冷暗保管室内の冷気を流出させるための流出口と、
前記第１及び第２の収納容器から流れてくる冷気による前記冷暗保管室内の温度を検出する温度検出手段と、
高湿度モードあるいは低湿度モードの何れかを選択するための操作部と、
前記操作部により選択された高湿度モードにおいては、前記第１の開閉手段を制御して前記第１の冷気導入口を開放し、前記温度検出手段の検出温度が予め設定された冷暗所相当の温度になったときに、前記第１の開閉手段を制御して前記第１の冷気導入口を閉塞し、前記操作部により選択された低湿度モードにおいては、前記第２の開閉手段を制御して前記第２の冷気導入口を開放し、前記温度検出手段の検出温度が予め設定された冷暗所相当の温度になったときに、前記第２の開閉手段を制御して前記第２の冷気導入口を閉塞する制御手段と
を備えたことを特徴とする冷蔵庫。
【請求項５】
前記第１の収納容器は、上部に前記第１及び第２の冷気導入口からの冷気が流入する開口部を有し、さらに、前面に当該冷気を流出させる複数のスリットを有することを特徴とする請求項４記載の冷蔵庫。
【請求項６】
前記第２の冷気導入口の下部から前記第１の収納容器の開口部近傍まで延びてなり、前記第２の冷気導入口からの冷気を前記第１の収納容器内に案内する第２の冷気案内部を設けたことを特徴とする請求項５記載の冷蔵庫。
【請求項７】
前記第１の収納容器は、底面に前記第１及び第２の冷気導入口からの冷気を流出させる複数のスリットが設けられ、
前記第１の収納容器の下方に配置され、上部に前記第１の収納容器からの冷気が流入する開口部を有し、さらに、前面に当該冷気を流出させる複数のスリットを有する第２の収納容器を備えていることを特徴とする請求項６記載の冷蔵庫。
【請求項８】
前記流出口の上部から前記第２の収納容器の近傍まで延びてなり、前記冷暗保管室内の冷気の循環を防止する遮蔽板を設けたことを特徴とする請求項１乃至３、７の何れか一項に記載の冷蔵庫。
【発明の詳細な説明】
【技術分野】
【０００１】
本発明は、異なる温度帯の部屋を複数有し、保存最適湿度が異なる保存対象品を同一の部屋に保存することができる冷蔵庫に関するものである。
【背景技術】
【０００２】
家庭用の冷蔵庫においては、これまでにも、保存品の特質や保存期間により、保存温度を分けて保存することは一般的に行われてきた。例えば、肉や魚はすぐ使うのであれば０℃程度のチルド室、長期保存をするのであれば−１８℃の冷凍室、半月程度の間に適宜使いたいときは凍っているが包丁で切れる程度の−７℃の冷凍室、野菜や果物などは６℃程度の野菜室に保存している。
【０００３】
一方で、油や米など冷暗所保存が望ましいとされているものは、冷蔵庫に入れて保存することは少なく、台所近辺の収納庫や所定の収納場所に保管されていた。また、ナスやキュウリ、バナナなどのように低温障害が起きやすい野菜や果物も冷暗所に保管することが多い。
【０００４】
しかし、近年の住宅構造は断熱性・気密性が増し、また、以前は北向きが多かったが、リビングとの一体化などに伴い、南向き・東向きの台所も多くなるなど、保存場所が高温多湿化しやすくなる傾向にある。このため、冷暗所すなわち『冷蔵ほどの低温は必要としないが、涼しく暗い場所』で保存すべき食品の保存場所の確保が困難になってきた。
【０００５】
そこで、従来の冷蔵庫に温度を１０〜１５℃程度とする貯蔵庫を設けて、乾物などの食品の劣化を抑えるものがある（例えば、特許文献１）。
また、一般的な家庭用の冷蔵庫に第３の貯蔵室を設けて、亜熱帯作物や米などを保存するものがある（例えば、特許文献２参照）。
また、冷蔵庫の上部に温度を０〜２０℃、湿度を５０％以下とする第３の温度室を設けたものがある（例えば、特許文献３参照）。
また、冷蔵庫に約１０〜１８℃の『中温』と称する温度帯で高湿保存用の貯蔵容器と低湿保存用の貯蔵容器を備えたものもある（例えば、特許文献４参照）。
さらに、低温貯蔵庫に高湿モード、低湿モード、その中間となる玄米保存用の調湿モードを設定し、各モードを操作パネルで切り替えて貯蔵室内の湿度を調整するものが提案されている（例えば、特許文献５参照）。
【先行技術文献】
【特許文献】
【０００６】
【特許文献１】特開平２−１２６０７３号公報（図１）
【特許文献２】特開平１０−５４６４１号公報（図１）
【特許文献３】特開２００１−１３３１１０号公報（図２）
【特許文献４】特開平３−８４３８３号公報（図１）
【特許文献５】特開平１０−３３９５４７号公報（図２）
【発明の概要】
【発明が解決しようとする課題】
【０００７】
前述の特許文献１に記載の貯蔵庫は、乾物を保存可能な構造となっているが、高湿度を要する食品を保存する構造となっておらず、しかも、一般的な冷蔵室や冷凍室のある冷蔵庫とは別置きとなっており、２台目の冷蔵庫として費用がかかるという課題がある。
特許文献２に記載の冷蔵庫は、亜熱帯作物や米などが保存可能な第３の貯蔵室を備えているが、湿度帯に関する調整方法についての具体的な技術が記載されておらず、特許文献３に記載の第３の温度室は上部冷蔵庫として、下部冷蔵庫の上部に載置されており、保存温度を１０℃以上で高湿度帯を必要とする食品への対応はなされていなかった。
特許文献４に記載の技術は、高湿保存用の貯蔵容器には透湿膜を主体に構成した蓋が必要となり、蓋が結露した場合には食品に落下し食品に損傷を与える虞がある。
特許文献５に記載の技術は、圧縮機のオフ時に冷却器に付いた霜が融解して発生する水分を加湿に利用するものであり、庫内温度が−１８℃の冷凍室もある冷蔵庫の仕様では十分な加湿能力が得られない可能性があった。
即ち、前述した特許文献１〜５に記載の技術では、冷蔵や冷凍など様々な温度帯の部屋を一体化した冷蔵庫においては、結露による食品の損傷がなく、保存したい食品に対応した温湿度帯に調整することができないという課題がある。
【０００８】
本発明は、前記のような課題を解決するためになされたもので、冷暗所相当の温度で、かつ保存すべき食品に対応した適正な湿度で保存することができる冷蔵庫を提供することを目的とする。
【課題を解決するための手段】
【０００９】
本発明に係る冷蔵庫は、区画壁の区画により形成された少なくとも冷凍室、野菜室及び冷暗保管室を有する冷蔵庫本体と、冷暗保管室内に上下に配置された第１及び第２の収納容器と、野菜室及び冷暗保管室の間の区画壁に設けられ、野菜室からの戻り冷気を第１の収納容器に導入するための第１の冷気導入口と、第１の冷気導入口を開閉する第１の開閉手段と、冷暗保管室の背面に設けられ、冷却器からの冷気を前記第２の収納容器に導入するための第２の冷気導入口と、第２の冷気導入口を開閉する第２の開閉手段と、冷暗保管室の背面に第２の冷気導入口の下方に設けられ、冷暗保管室内の冷気を流出させるための流出口と、第１及び第２の収納容器から流れてくる冷気による冷暗保管室内の温度を検出する温度検出手段と、温度検出手段の検出温度が予め設定された冷暗所相当の温度になるように第１及び第２の開閉手段を制御する制御手段とを備えたものである。
【発明の効果】
【００１０】
本発明においては、第１及び第２の開閉手段により第１及び第２の冷気導入口を開けて、第１の収納容器内に野菜室からの戻り冷気を導入させると共に、第２の収納容器に冷却器からの冷気を導入させ、冷暗保管室内の温度が冷暗所相当の温度になったときに、第１及び第２の開閉手段により第１及び第２の冷気導入口を閉じるようにしている。これにより、第１の収納容器内においては、冷暗所相当の温度で、かつ野菜室からの戻り冷気により高湿度となり、そのため、冷暗所相当の温度で保存すべき食品を適正な湿度で保存することが可能になる。一方、第２の収納容器内においては、冷暗所相当の温度で、かつ冷却器からの冷気により低湿度となり、そのため、乾物類を最適な環境で保存することができる。
【図面の簡単な説明】
【００１１】
【図１】本発明の実施の形態１に係る冷蔵庫の側面を切断して示す断面図である。
【図２】図１の冷蔵庫の冷暗保管室付近を拡大して示す断面図である。
【図３】本発明の実施の形態２に係る冷蔵庫の冷暗保管室を高湿度状態にしたときの拡大断面図である。
【図４】図３の冷暗保管室を低湿度状態にしたときの拡大断面図である。
【発明を実施するための形態】
【００１２】
以下、本発明に係る冷蔵庫の実施の形態について、図１乃至図４を用いて説明する。
実施の形態１．
図１は本発明の実施の形態１に係る冷蔵庫の側面を切断して示す断面図、図２は図１の冷蔵庫の冷暗保管室付近を拡大して示す断面図である。
【００１３】
図１に示す冷蔵庫は例えば家庭用の冷蔵庫で、その冷蔵庫本体１は、外箱と内箱の空間に発泡ウレタンなどの断熱部材が充填されて構成されている。冷蔵庫本体１には、冷蔵庫本体１に一体成型された区画壁１ａ、１ｂ、１ｃにより、上下に複数の部屋が形成されている。例えば、上部に冷蔵室６が形成され、区画壁１ａ、１ｂの間の側方に隣接して配置された切替室７及び製氷室８が形成され、区画壁１ｂ、１ｃの間に野菜や２Ｌペットボトルなどを収納する野菜室９が形成され、下部の側方に隣接して配置された冷凍室１０及び冷暗保管室１１が形成されている。
【００１４】
また、冷蔵庫本体１には、各部屋の前面開口部をそれぞれ開閉する扉が設けられている。冷蔵室６には、前面に操作パネル５が設置された片開き式の扉６ａが設けられ、切替室７、製氷室８、野菜室９、冷凍室１０及び冷暗保管室１１には、それぞれ引き出し式の扉７ａ、８ａ、９ａ、１０ａ、１１ａが設けられている。冷蔵庫本体１の底部後方には圧縮機２が設けられ、野菜室９の背面に設けられた空間には冷却器３が設置され、冷却器３の上方には、冷却器３により冷却された冷気を各部屋に強制通風する送風機４が設置されている。
【００１５】
冷蔵室６の背面壁の中には、制御手段を有する回路基板２１が収められている。その制御手段により、圧縮機２や送風機４の駆動が制御され、後述する第１及び第２のダンパの開閉が制御される。前述の操作パネル５には、図示していないが、冷蔵室６内の温度などを表示する表示部、各部屋の温度を調節するスイッチ、各種エラー発生時に点灯する警告ランプなどが設けられている。
【００１６】
冷暗保管室１１は、後述するが、冷暗所相当の温度（例えば１０〜２０℃）となるように設定されている。その設定温度は、一般的な家庭用の冷蔵庫で設定される温度以上で、人が涼しく感じる温度以下とした最も広範囲の温度帯である。なお、６℃程度の低温で障害の生じやすい野菜を保存する場合は、設定温度を１０〜１５℃としても良い。
【００１７】
冷暗保管室１１には、図２に示すように、その冷暗保管室１１内の上部に配置された第１の収納容器１２と、冷暗保管室１１内の下部に配置された第２の収納容器１３が設けられている。第１及び第２の収納容器１２、１３は、例えばポリスチレンなどの材質よりなり、上部に開口部を有する箱形状の容器である。その開口部から食品を出し入れできる。なお、第１及び第２の収納容器１２、１３の材質をポリスチレンとしたが、これに限定されるものではない。
【００１８】
第１及び第２の収納容器１２、１３の前面には、それぞれ複数のスリット１２ａ、１３ａが設けられている。第１の収納容器１２は、第２の収納容器１３の奥行きよりも短く形成されている。これにより、第１の収納容器１２の後部の開口部が開放された状態となっている。これら第１及び第２の収納容器１２、１３は、図示していないが、冷暗保管室１１の側壁内側に一体成型された突起をレールとして前後に移動可能になっている。
【００１９】
冷蔵庫本体１の区画壁１ｃには、野菜室９から冷暗保管室１１の第１の収納容器１２内に冷気を導入するための第１の冷気導入口１４と、第１の冷気導入口１４を開閉する第１のダンパ１５（第１の開閉手段）が設けられている。冷暗保管室１１の背面には、冷却器３から第２の収納容器１３内に冷気を導入するための第２の冷気導入口１６と、第２の冷気導入口１６を開閉する第２のダンパ１７（第２の開閉手段）が設けられている。
【００２０】
第２の冷気導入口１６の上部と下部には、第２の収納容器１３に向けて下方に傾斜するガイド板１６ａ（第１の冷気案内部）が設けられている。このガイド板１６ａは、冷暗保管室１１に導入された冷気が第１の収納容器１２内に流入したり、第１の収納容器１２に当たって第１の収納容器１２内の温度が局所的に大きく下がることを回避するために設けられている。
【００２１】
また、冷暗保管室１１の背面の第２の冷気導入口１６の下方には、流出口１８が設けられている。この流出口１８により、冷暗保管室１１内を流れる冷気が流出し、下方から冷却器３に向かって流れていく。流出口１８は、第１及び第２の冷気導入口１４、１６から冷暗保管室１１内に導入された冷気のショートサイクルを回避するために極力冷暗保管室１１の下部に設けられ、より回避を確実にするために流出口１８の上部に気流の発生を防止するための遮蔽板１８ａが設けられている。また、流出口１８の近傍には、第１及び第２の収納容器１２、１３から流れてくる冷気による冷暗保管室１１内の温度を検出するサーミスタ１９（温度検出手段）が設置されている。
【００２２】
前述の制御手段は、予め冷暗所相当の温度、例えば１０℃〜２０℃の温度が設定されており、サーミスタ１９により検出された冷暗保管室１１内の温度が設定温度の範囲内に入るように第１のダンパ１５及び第２のダンパ１７の開閉を制御する。即ち、制御手段は、冷暗保管室１１内の温度が設定温度の範囲外のときには、第１のダンパ１５及び第２のダンパ１７を開き、冷暗保管室１１内の温度が設定温度の範囲内に入ったときには、第１のダンパ１５及び第２のダンパ１７を閉じる。
【００２３】
ここで、冷暗保管室１１内での冷気の流れを図２を用いて説明する。なお、図中の矢印は冷気の流れ方向を示している。
第１のダンパ１５が開いているときは、野菜室９からの戻り冷気が第１の冷気導入口１４を通って第１の収納容器１２内に導入される。野菜室９には、保存中も生命活動を続け二酸化炭素以外に水分も吐き出す野菜や果物が収納されている。このため、他の部屋と比べ高湿度の冷気となっている。また、野菜室９の温度は６℃程度で、冷暗保管室１１の設定温度１０〜２０℃に最も近い。このため、他の部屋の戻り冷気を導入するよりも絶対湿度の高い冷気を導入でき、冷暗保管室１１内の第１の収納容器１２に効率的に高湿度の冷気を導入できる。
【００２４】
第１の収納容器１２内に導入された冷気は、第１の収納容器１２の前面に設けられたスリット１２ａから流出し、第２の収納容器１３の前方で第２の収納容器１３の前面に設けられたスリット１３ａから流出する冷気と混合され、流出口１８へと向う。そして、混合された冷気は、遮蔽板１８ａにより遮られて流出口１８から流出し、下方から冷却器３に向かって流れる。なお、第１のダンパ１５が閉じているときには、野菜室９の戻り冷気は、一般的な冷蔵庫と同様に、風路（図示せず）を経由して冷却器３の下方に戻っていく。
【００２５】
また、第２のダンパ１７が開いているときは、冷却器３からの冷気が第２の冷気導入口１６を通りガイド板１６ａに案内されて第２の収納容器１３内に導入される。第２の収納容器１３内に導入された冷気は、冷却器３で水分が回収された直後の冷気であるため、冷蔵庫本体１内で最も低湿度の冷気となっている。これを第２の収納容器１３内に導入することで第２の収納容器１３内に低湿度の冷気を最も効率的に導入できる。この冷気は、第２の収納容器１３の前面に設けられたスリット１３ａから流出し、第２の収納容器１３の前方で第１の収納容器１２から流出した冷気と混合され、流出口１８へと向う。そして、混合された冷気は、流出口１８から流出し、下方から冷却器３に向かって流れる。
【００２６】
次に、野菜室９の戻り冷気の相対湿度がどの程度であればよいかについて説明する。
冷暗所相当の温度で高湿度に維持したい保管品として、低温に弱い野菜や果物、例えばナスやキュウリなどの夏野菜、バナナやパイナップルといった熱帯原産の果物である。一般的に野菜は相対湿度８５〜９５％程度の高湿度で保存することが望ましいとされる。ただし、これらの野菜は結露に弱く、野菜・果物自身も生きているため呼吸して水分放出しており、第１の収納容器１２内に何も入れていない状態で高湿度環境にすると、すぐに結露が生じ、この状態で野菜などを入れた場合には野菜の劣化を招く恐れがある。
【００２７】
そこで、第１の収納容器１２内を、野菜や果物を少し入れた状態で高湿度環境にする必要がある。野菜室９は多くの場合多様な野菜でほぼ満杯になっており、このときの戻り冷気は、おおむね相対湿度９０％以上である。そこで、野菜室９の戻り冷気の温度を６℃、相対湿度を９０％と仮定し、冷暗保管室１１の温度を設定温度の範囲内の１３℃とすると、相対湿度は約５４％となる。この環境で例えば長ナス３本、キュウリ３本を保管してみた。このとき、絶対湿度で約0.0045［kg／kg(DA)］の高湿度となり、相対湿度は９９％となった。
【００２８】
ちなみに、野菜室９の次に温度の高い冷蔵室３の戻り冷気を直接利用できないか試算してみると、冷蔵室６の戻り冷気が温度３℃、相対湿度９５％以上であれば、冷暗保管室１１の相対湿度は９０％以上（温度１３℃で同一量の野菜を保存した場合）になる。しかし、一般的に冷蔵室６に入れる食品は、蓋で覆われた容器内に入っており、また、ラップをして水分の蒸散を抑制しており、冷却器３から冷蔵室６に導入された冷気が多量の水分を含み高湿度になることは考えにくい。これは、他の部屋についても同様の傾向である。
従って、冷暗保管室１１を高湿度にしたい場合に導入すべき冷気は、野菜室９の戻り冷気が最適であるといえる。
【００２９】
また、冷却器３からの直接導入した冷気を−２５℃、相対湿度１００％とすると、冷暗保管室１１の温度１３℃での相対湿度は４％である。市販の袋入り乾物に入っている一般的な乾燥剤は、海苔で相対湿度１０〜１５％、せんべい類で２０〜２５％、干し椎茸や煮干などでは２５〜３０％にするとあるため、開封後の乾物類にも十分に対応可能な相対湿度になることがわかる。
【００３０】
以上のように実施の形態１においては、第１及び第２のダンパ１５、１７により第１及び第２の冷気導入口１４、１６を開けて、第１の収納容器１２内に野菜室９からの戻り冷気を導入させると共に、第２の収納容器１３内に冷却器３からの冷気を導入させ、冷暗保管室１１内の温度が設定温度（１０℃〜２０℃）になったときに、第１及び第２のダンパ１５、１７により第１及び第２の冷気導入口１４、１６を閉じるようにしている。これにより、第１の収納容器１２内においては、設定温度で、かつ野菜室９からの戻り冷気により高湿度となり、そのため、冷暗所相当の温度で保存すべき食品を適正な湿度で保存することが可能になり、また、第２の収納容器１３内においては、冷暗所相当の温度で、かつ冷却器３からの冷気により低湿度となり、そのため、乾物類を最適な環境で保存することができる。
【００３１】
なお、実施の形態１では、冷暗保管室１１内の温度が設定温度の範囲外のときに第１及び第２のダンパ１５、１７を開くようにしたが、冷暗保管室１１内の温度と設定温度の差に応じて第１及び第２のダンパ１５、１７の開度を調整するようにしても良い。また、第２の冷気導入口１６の上部と下部にガイド板１６ａを設けたが、そのガイド板１６ａを第２の冷気導入口１６の上部のみに設けても良い。
【００３２】
実施の形態２．
図３は本発明の実施の形態２に係る冷蔵庫の冷暗保管室を高湿度状態にしたときの拡大断面図、図４は図３の冷暗保管室を低湿度状態にしたときの拡大断面図である。なお、本実施の形態においては、実施の形態１と同様あるいは相当部分には同じ符号を付している。
【００３３】
図３、図４において、冷暗保管室１１内の上部に配置された第１の収納容器１２は、前面の他に底面にも複数のスリット１２ｂが設けられている。第２の冷気導入口１６の下部には、第１の収納容器１２に向けて上方に傾斜するガイド板１６ｂ（第２の冷気案内部）が設けられている。このガイド板１６ｂは、冷暗保管室１１に流入し冷気がショートサイクルして冷暗保管室１１を循環せずに流出口１８に向かうのを回避するために設けられている。
【００３４】
操作パネル５には、前述した表示部、設定温度の調節用のスイッチ、警告ランプなどの他に、例えば、高湿度モードを選択するための第１のスイッチ、低湿度モードを選択するための第２のスイッチ（共に図示せず）が設けられている。なお、第１及び第２のスイッチには、何れが高湿度モードか低湿度モードかを識別させるために、各スイッチの近傍に『高湿』、『低湿』を表示するようにしても良い。また、より冷蔵庫の使用者にわかりやすい表現、例えば第１のスイッチの近傍に『野菜・果物』を表示し、第２のスイッチの近傍に『乾物類』を表示してわかりやすいようにしても良いし、それに類する絵で表示するようにしても良い。
【００３５】
制御手段は、第１のスイッチの操作により高湿度モードが選択された場合は、第１のダンパ１５を開いて第１の冷気導入口１４を開放し、サーミスタ１９の検出温度が予め設定された冷暗所相当の温度（１０℃〜２０℃）になったときに、第１のダンパ１５を閉じて第１の冷気導入口１４を閉塞する。また、制御手段は、第２のスイッチの操作により低湿度モードが選択された場合には、第２のダンパ１７を開いて第２の冷気導入口１６を開放し、サーミスタ１９の検出温度が前述の設定温度（１０℃〜２０℃）になったときに、第２のダンパ１７を閉じて第２の冷気導入口１６を閉塞する。
【００３６】
次に、冷暗保管室１１内での冷気の流れを図３及び図４を用いて説明する。まず、高湿度モードが選択されたときの冷気の流れを図３を用いて説明し、次に、低湿度モードが選択されたときの冷気の流れを図４を用いて説明する。なお、図中の矢印は冷気の流れ方向を示している。
【００３７】
回路基板２１上の制御手段は、第１のスイッチの操作により高湿度モードが選択された場合、第１のダンパ１５を開けて第１の冷気導入口１４を開放する。このとき、野菜室９からの戻り冷気が第１の冷気導入口１４を通って第１の収納容器１２内に導入される。第１の収納容器１２内の冷気は、第１の収納容器１２の底面に設けられたスリット１２ｂから第２の収納容器１３内へ流れると共に、第１の収納容器１２の前面に設けられたスリット１２ａから流出する。そして、そのスリット１２ａから流出した冷気は、第２の収納容器１３の前方で第２の収納容器１３から流出する冷気と混合され、流出口１８へと向う。混合された冷気は、遮蔽板１８ａにより遮られて流出口１８から流出し、下方から冷却器３に向かって流れる。一方、制御手段は、サーミスタ１９の検出温度が設定温度に達したかどうかを判定しており、検出温度が設定温度に達したときには、第１のダンパ１５を閉じて第１の冷気導入口１４を閉塞する。これによって、冷暗保管室１１の温度が設定温度の範囲内で、高湿度となる。
【００３８】
次に、前述の制御手段は、第２のスイッチの操作により低湿度モードが選択された場合、第２のダンパ１７を開けて第２の冷気導入口１６を開放する。このとき、冷却器３からの冷気が第２の冷気導入口１６を通りガイド板１６ｂに案内されて第１の収納容器１２内に導入される。第１の収納容器１２内の冷気は、第１の収納容器１２の底面に設けられたスリット１２ｂから第２の収納容器１３内へ流れると共に、第１の収納容器１２の前面に設けられたスリット１２ａから流出する。そして、そのスリット１２ａから流出した冷気は、第２の収納容器１３の前方で第２の収納容器１３から流出する冷気と混合され、流出口１８へと向う。混合された冷気は、遮蔽板１８ａにより遮られて流出口１８から流出し、下方から冷却器３に向かって流れる。一方、制御手段は、サーミスタ１９の検出温度が設定温度に達したかどうかを判定しており、検出温度が設定温度に達したときには、第２のダンパ１７を閉じて第２の冷気導入口１６を閉塞する。これによって、冷暗保管室１１の温度が設定温度の範囲内で、低湿度となる。なお、第１及び第２のダンパ１５、１７が閉じているときには、野菜室９の戻り冷気は、一般的な冷蔵庫と同様に、風路を経由して冷却器３の下方に戻っていく。
【００３９】
以上のように実施の形態２よれば、高湿度モードが選択された場合は、第１のダンパ１５により第１の冷気導入口１４を開けて、第１及び第２の収納容器１２、１３内に野菜室９からの戻り冷気を導入させ、冷暗保管室１１内の温度が設定温度（１０℃〜２０℃）になったときには、第１のダンパ１５により第１の冷気導入口１４を閉じるようにしている。これにより、第１及び第２の収納容器１２、１３内においては、設定温度で、かつ野菜室９からの戻り冷気により高湿度となり、そのため、冷暗所相当の温度で、かつ高湿度に適した食品を保存することが可能になる。
【００４０】
また、低湿度モードが選択された場合には、第２のダンパ１７により第２の冷気導入口１６を開けて、第１及び第２の収納容器１２、１３内に冷却器３からの冷気を導入させ、冷暗保管室１１内の温度が設定温度（１０℃〜２０℃）になったときには、第２のダンパ１７により第２の冷気導入口１６を閉じるようにしている。これにより、第１及び第２の収納容器１２、１３内においては、設定温度で、かつ冷却器３からの冷気により低湿度となり、そのため、低温湿度に適した乾物類を保存することができる。
【００４１】
なお、実施の形態２では、第１のダンパ１５あるいは第２のダンパ１７を開ける際に、冷暗保管室１１内の温度と設定温度の差に応じて開ける角度を調整するようにしても良い。
【符号の説明】
【００４２】
１  冷蔵庫本体、１ａ、１ｂ、１ｃ  区画壁、２  圧縮機、３  冷却器、４  送風機、５  操作パネル、６  冷蔵室、６ａ  片開き式の扉、７  切替室、７ａ  引き出し式の扉、８  製氷室、８ａ  引き出し式の扉、９  野菜室、９ａ  引き出し式の扉、１０  冷凍室、１０ａ  引き出し式の扉、１１  冷暗保管室、１１ａ  引き出し式の扉、１２  第１の収納容器、１２ａ、１２ｂ  スリット、１３  第２の収納容器、１３ａ  スリット、１４  第１の冷気導入口、１５  第１のダンパ、１６  第２の冷気導入口、１６ａ、１６ｂ  ガイド板、１７  第２のダンパ、１８  流出口、１８ａ  遮蔽板、１９  サーミスタ、２１  制御手段を有する回路基板。
【図１】
0005506846.tif 000002
【図２】
0005506846.tif 000003
【図３】
0005506846.tif 000004
【図４】
0005506846.tif 000005